(57)【要約】【課題】適切な挿入力により、かつ、組み付けの際に回転することなく、パネルにスムーズに組み付けることが可能なポート部材およびそのポート部材を備えた接続ポート装置を提供すること。【解決手段】外部機器の端子を受け入れてコネクタ１１に接続するポート部材１０は、端子を受け入れる接続ポートＰが形成される前方端部１５と、前方端部１５に連なる円筒状の外筒１４と、外筒１４の軸線方向に沿って配置され、外筒１４の回転を規制するキー２０と、を備える。キー２０は、前方端部１５よりも後方に位置する自由端１７１および自由端１７１よりも後方に位置する支持端１７２を有するラッチアーム１７と、支持端１７２よりも後方に位置する第１キー２１と、支持端１７２よりも前方に位置する第２キー２２と、を含み、第１キー２１および第２キー２２の間には、所定の間隙Ｓが設定され、間隙Ｓは、支持端１７２から前方および支持端１７２から後方のうち少なくとも前方に存在する。【選択図】図４
2016207376.tif 000002
【特許請求の範囲】
【請求項１】
外部機器の端子を受け入れてコネクタに接続するポート部材であって、
前記端子を受け入れる接続ポートが形成される前方端部と、
前記前方端部に連なる円筒状の外筒と、
前記外筒の軸線方向に沿って配置され、前記外筒の回転を規制するキーと、を備え、
前記キーは、
前記前方端部よりも後方に位置する自由端および前記自由端よりも後方に位置する支持端を有するラッチアームと、
前記支持端よりも後方に位置する第１キーと、
前記支持端よりも前方に位置する第２キーと、を含み、
前記第１キーおよび前記第２キーの間には、所定の間隙が設定され、
前記間隙は、
前記支持端から前方および前記支持端から後方のうち少なくとも前方に存在する、
ことを特徴とするポート部材。
【請求項２】
前記間隙は、
前記キーに対応するキー溝が形成されるパネルの厚みよりも小さい、
ことを特徴とする請求項１に記載のポート部材。
【請求項３】
外部機器の端子を受け入れてコネクタに接続するポート部材であって、
前記端子を受け入れる接続ポートが形成される前方端部と、
前記前方端部に連なる円筒状の外筒と、
前記外筒の軸線方向に沿って配置され、前記外筒の回転を規制するキーと、を備え、
前記キーは、
前記前方端部よりも後方に位置する自由端および前記自由端よりも後方に位置する支持端を有するラッチアームと、
前記支持端よりも後方に位置する第１キーと、を含み、
前記支持端から前方および前記支持端から後方のうち少なくとも前方には、
前記キーに対応するキー溝が形成されるパネルの厚みよりも小さい寸法で、前記キーが機能しないキーイング不備部が設定されている、
ことを特徴とするポート部材。
【請求項４】
請求項１から３のいずれか一項に記載のポート部材と、
前記ポート部材が組み付けられるパネルと、を備え、
前記パネルには、
前記外筒が挿入される開口と、
前記キーに対応するキー溝と、が形成されている、
ことを特徴とする接続ポート装置。
【発明の詳細な説明】
【技術分野】
【０００１】
本発明は、ポート部材およびそれが組み付けられたパネルを備えた接続ポート装置に関する。
【背景技術】
【０００２】
近年、自動車のコンソールパネルに、携帯機器等の外部機器を接続可能な接続ポート装置が設けられている（特許文献１）。
特許文献１の接続ポート装置は、外部機器が接続されるコネクタを保持する保持ハウジングと、保持ハウジングが通される開口を有するパネルと、保持ハウジングに組み付けられる外装ハウジングとを備えている。
保持ハウジングおよび外装ハウジングは、各々に形成されたラッチアームにより互いに係止される。それらのハウジングが分離しないように、パネルの開口の周縁部から径方向内側に突出した突起をラッチアームに突き当てることで、ラッチアームの可動域を制限している。
【先行技術文献】
【特許文献】
【０００３】
【特許文献１】特開２０１５−７６２０５号公報
【発明の概要】
【発明が解決しようとする課題】
【０００４】
外部機器の端子を受け入れるポート部材（ハウジング）が円筒形である場合は、パネルに正しい向きで組み付けることができるように、パネルに対してポート部材が回転することを規制する必要がある。
回転を規制するキーイングを構成するため、ポート部材の外周面から突出しているラッチアームをキーとしても使用し、パネルにキー溝を形成することができる。
しかし、それを特許文献１の構成に適用しようとすると、ラッチアームに、パネルの一部が突き当てられる部分と、その部分の周方向両側でパネルに係合する突起（キー部分）とを形成する必要がある。ラッチアームの支持端は、パネルが突き当てられた箇所にシフトしているので、そのシフトした支持端の位置に突起が形成されていると、突起の分だけ支持端の厚みが増し、ラッチアームの剛性が高くなる。そのため、パネルの開口にポート部材を挿入する際に必要な挿入力が増大してしまう。
【０００５】
本発明は、適切な挿入力により、かつ、組み付けの際に回転することなく、スムーズに組み付けることが可能なポート部材およびそのポート部材を備えた接続ポート装置を提供することを目的とする。
【課題を解決するための手段】
【０００６】
本発明の発明者は、図１０に示すように、円筒状のポート部材１に、軸線方向に延在するキー２として突起３およびラッチアーム４が備えられた構成について検討した。
ポート部材１をパネル５の開口５１に挿入した当初は、キー溝５２を通過する突起３とパネル５との係合によって、パネル５に対するポート部材１の回転が規制される。さらにポート部材１をパネル５に対して押し込み、キー溝５２をラッチアーム４が通り抜ける際にもポート部材１の回転が規制される。
図１０に示す構成によれば、ポート部材１をパネル５に組み付ける過程に亘り、パネル５に対するポート部材１の回転が規制されるが、突起３がラッチアーム４の支持端４１に形成されているので、突起３の分だけ支持端４１の厚みが増している。そのため、支持端４１に突起３が形成されていない場合と比べて大きな挿入力が要求される。
【０００７】
以上の検討も踏まえてなされた本発明は、外部機器の端子を受け入れてコネクタに接続するポート部材であって、端子を受け入れる接続ポートが形成される前方端部と、前方端部に連なる円筒状の外筒と、外筒の軸線方向に沿って配置され、外筒の回転を規制するキーと、を備える。
そして、本発明は、キーが、前方端部よりも後方に位置する自由端および自由端よりも後方に位置する支持端を有するラッチアームと、支持端よりも後方に位置する第１キーと、支持端よりも前方に位置する第２キーと、を含み、第１キーおよび第２キーの間には、所定の間隙が設定され、間隙は、支持端から前方および支持端から後方のうち少なくとも前方に存在することを特徴とする。
第１キーおよび第２キーの間の間隙は、キーに対応するキー溝が形成されるパネルの厚みよりも小さい。
【０００８】
本発明によれば、ラッチアームの支持端から前方および後方のうち少なくとも前方に間隙が設定されるので、ラッチアームの支持端の厚みが突出部によって増大しない。そのため、支持端の厚みに応じた適切な挿入力によりポート部材を組付対象に組み付けることができる。
しかも、間隙の寸法が適切に定められることにより、ポート部材の外筒を組付対象の開口に挿入中は、常時、キー溝の内側にキーが位置することとなるので、挿入過程に亘り、ポート部材の回転を間断なく規制することができる。
【０００９】
また、本発明は、外部機器の端子を受け入れてコネクタに接続するポート部材であって、端子を受け入れる接続ポートが形成される前方端部と、前方端部に連なる円筒状の外筒と、
外筒の軸線方向に沿って配置され、外筒の回転を規制するキーと、を備える。
そして、本発明は、キーが、前方端部よりも後方に位置する自由端および自由端よりも後方に位置する支持端を有するラッチアームと、支持端よりも後方に位置する第１キーと、を含み、支持端から前方および支持端から後方の少なくとも前方には、キーに対応するキー溝が形成されるパネルの厚みよりも小さい寸法で、キーが機能しないキーイング不備部が設定されていることを特徴とする。
上述した第１キーおよび第２キーの間の間隙は、キーイング不備部に相当する。
【００１０】
本発明によれば、ラッチアームの支持端から前方および後方のうち少なくとも前方にキーイング不備部が設定されるので、ラッチアームの支持端の厚みが突出部によって増大しない。そのため、支持端の厚みに応じた適切な挿入力によりポート部材をパネルに組み付けることができる。
キーイング不備部の寸法はパネルの厚みよりも小さいので、ポート部材の外筒を組付対象の開口に挿入する過程に亘り、キーとパネルとが係合した状態に維持される。そのため、挿入過程に亘り、ポート部材の回転を間断なく規制することができる。
【００１１】
本発明の接続ポート装置は、上述のポート部材と、ポート部材が組み付けられるパネルと、を備え、パネルには、外筒が挿入される開口と、キーに対応するキー溝と、が形成されていることを特徴とする。
【発明の効果】
【００１２】
本発明によれば、適切な挿入力により、かつ、組み付けの途中で回転することなく、ポート部材をパネルにスムーズに組み付けて接続ポート装置を組み立てることができる。
【図面の簡単な説明】
【００１３】
【図１】本発明の実施形態に係る接続ポート装置に備えられたパネルおよびポート部材を示す斜視図である。
【図２】パネルおよびポート部材が分離された状態を示す斜視図である。
【図３】図２のIII−III線断面図である。
【図４】図３の断面図と対応させつつ、図２のIV方向からポート部材を示す平面図である。
【図５】（ａ）および（ｂ）は、パネルにポート部材を組み付ける途中の状態を示す断面図である。
【図６】パネルへのポート部材の組み付けを完了した状態を示す断面図である。
【図７】（ａ）および（ｂ）は、比較例に係る断面図である。
【図８】（ａ）および（ｂ）は、比較例に係る断面図である。
【図９】（ａ）および（ｂ）は、本発明の変形例を示す断面図である。
【図１０】ポート部材の一例を示す断面図である。
【発明を実施するための形態】
【００１４】
以下、添付図面を参照しながら、本発明の実施の形態について説明する。
図１および図２に示す接続ポート装置１０は、自動車に搭載されるナビゲーションシステム、音楽・映像の視聴システムなどの車載システムが備えるインタフェース機器であり、自動車のコンソールに設けられる。
【００１５】
接続ポート装置１０は、図示しない外部機器の端子を受け入れてコネクタ１１（図３）に接続するポート部材１２と、ポート部材１２が組み付けられるパネル１３とを備えている。接続ポート装置１０は、接続ポートＰから受け入れた外部機器の端子をコネクタ１１を介して車載システムに接続することができる。
外部機器としては、例えば、スマートフォン、音楽プレーヤー、ＤＶＤプレーヤー、ディジタルカメラ、ＰＤＡ、ゲーム機器などの携帯機器が代表的なものとして挙げられる。
接続ポートＰの数は任意であり、接続ポート装置１０が複数の接続ポートＰの各々に対応するポート部材１２を有するものであってもよい。
【００１６】
本明細書では、接続ポートＰを介して外部機器の端子がコネクタ１１に抜き挿しされる方向を「前後方向」と定義する。そして、ポート部材１２において、接続ポートＰに外部機器の端子を受け入れる側を「前」と定義し、その反対側を「後」と定義する。
パネル１３の位置を基準とすると、パネル１３の表面１３Ａ側は「前」に該当し、パネル１３の裏面１３Ｂ側は「後」に該当する。
【００１７】
コネクタ１１（図３）は、外部機器の端子と、車載システムの端子とに接続されることで、両者の接続を仲介する。図３以外ではコネクタ１１の図示を省略する。
【００１８】
ポート部材１２は、図２および図３に示すように、外筒１４と、接続ポートＰが形成される前方端部１５と、コネクタ１１を保持する保持部１６と、外筒１４の軸線方向に沿って配置されたキー２０とを備え、樹脂材料から一体に形成されている。
【００１９】
外筒１４は、所定の長さの円筒状に形成されており、軸線が前後方向に沿うように配置される。外筒１４により保持部１６が包囲されている。
【００２０】
前方端部１５は、外筒１４の前端１４１に連なり、外筒１４の外径よりも大きい外径に形成されている。前方端部１５は、パネル１３の表面１３Ａ側に露出する。
前方端部１５の中央部に、接続ポートＰが厚み方向に貫通するように形成されている。
前方端部１５の後端の外周部には、パネル１３の端縁を受け入れる段差部１５１が形成されている。段差部１５１は前方端部１５の全周に亘り形成されている。
保持部１６は、接続ポートＰに連通する空間１６０を有している。この空間１６０にコネクタ１１の少なくとも嵌合部１１Ｂが配置され、コネクタ１１に設けられたワイヤハーネス１１Ａが空間１６０よりも後方に引き出される。接続ポートＰに臨むコネクタ１１の嵌合部１１Ｂに、外部機器の端子が接続される。
【００２１】
キー２０は、パネル１３に形成されたキー溝１３２（図２）と共に、パネル１３にポート部材１２を組み付ける際にポート部材１２が軸線周りに回転するのを規制する。
キー２０は、第１ラッチアーム１７と、第１キー２１および第２キー２２とを含んでいる。
【００２２】
第１ラッチアーム１７は、ポート部材１２をパネル１３に係止する。
第１ラッチアーム１７は、図３および図４に示すように、外筒１４を厚み方向に貫通するスリット１４Ａにより外筒１４の所定範囲に区画され、前後方向に延在している。
第１ラッチアーム１７は、外筒１４の前端１４１に位置する自由端１７１と、自由端１７１よりも後方に位置する支持端１７２とを有している。
支持端１７２は、スリット１４Ａの後端１４Ｂ（図４）に相当する位置にある。
第１ラッチアーム１７には、支持端１７２よりも前方の位置から立ち上がる斜面１７Ａが形成されている。
自由端１７１には、斜面１７Ａの頂部１７３から下る斜面１７Ｂが形成されている。
自由端１７１は、前方端部１５の段差部１５１との間にパネル１３のキー溝１３２の端縁１３２Ａ（図２）を挟み込む。
【００２３】
外筒１４には、図３に示すように、第１ラッチアーム１７から１８０°離れた位置に第２ラッチアーム１８が備えられている。
第２ラッチアーム１８も、スリット１４Ｃにより外筒１４の所定範囲に区画され、外筒１４の前端１４１に位置する自由端１８１と、自由端１８１よりも後方に位置する支持端１８２とを有している。第２ラッチアーム１８には、支持端１８２から前方側に離れた位置から立ち上がる斜面１８Ａが形成されている。
そして、頂部１８３から下る斜面１８Ｂが形成された自由端１８１と前方端部１５の段差部１５１との間にパネル１３の開口１３０の周縁部１３１が挟み込まれる。
【００２４】
第１キー２１および第２キー２２は、外筒１４の外周面（図３に破線で示す）を基準として同じ高さだけ突出するように形成されている。第１キー２１および第２キー２２は、第１ラッチアーム１７と同じ幅に形成されている。
第１キー２１は、外筒１４の後端１４２と第１ラッチアーム１７の支持端１７２との間の範囲に亘り延在する突条である。
第２キー２２は、第１キー２１に対して独立しており、第１ラッチアーム１７の支持端１７２よりも少しだけ前方に位置している。この第２キー２２は、第１ラッチアーム１７の一部を構成している。
第１キー２１と第２キー２２との間には間隙Ｓが形成されている。間隙Ｓの軸線方向の寸法ｘは、パネル１３の厚みｘ０よりも小さい。キー２１，２２の幅方向全体に亘り、間隙Ｓが一定の寸法ｘで形成されている。
この第２キー２２の前方側に第１ラッチアーム１７の斜面１７Ａが隣接している。斜面１７Ａは第２キー２２の下端２２Ａ（図３）から立ち上がっている。
【００２５】
図２に示すように、パネル１３には、外筒１４が前方から後方に向けて挿入される略円形の開口１３０が形成されている。
開口１３０の周縁部１３１の一箇所に、キー２０に対応するキー溝１３２が形成されている。
キー溝１３２は、第１キー２１および第２キー２２の高さおよび幅に対応する寸法に形成されている。
【００２６】
パネル１３は、樹脂材料から形成することができる。また、パネル１３を金属板の打ち抜き加工により形成することもできる。
パネル１３は、コンソールに設けられる計器や操作スイッチの内部構造を覆うパネルと一体に形成することもできる。
【００２７】
接続ポート装置１０を組み立てる手順について説明する。
以下で説明するように、ポート部材１２の回転を間断なく規制しつつ、パネル１３にポート部材１２を組み付けることができる。
図２に示すように、パネル１３の開口１３０に、キー溝１３２とキー２０との位置が合致するようにポート部材１２を挿入すると、挿入当初は、第１キー２１がキー溝１３２を通過することで、パネル１３に対するポート部材１２の回転が規制される。
【００２８】
その後、ポート部材１２をさらに挿入すると、図５（ａ）に示すように、第１キー２１がキー溝１３２から脱する。このとき、図３を参照して説明したように第１キー２１および第２キー２２の間の間隙Ｓの寸法ｘがパネル１３の厚みｘ０よりも小さいため（ｘ＜ｘ０）、第２キー２２がキー溝１３２の内側に位置している。そのため、引き続き、ポート部材１２の回転が規制される。
【００２９】
図５（ａ）の円の中には、好ましくない例を示している。円の中に示すように、パネル１３の厚みｘ０と間隙Ｓの寸法ｘとが同等である場合や（ｘ＝ｘ０）、ｘがｘ０よりも大きい場合は（ｘ＞ｘ０）、第１キー２１がキー溝１３２から脱したときに第２キー２２がキー溝１３２の内側に位置していない。そのため、パネル１３に対してポート部材１２の回転が許容される。
このときポート部材１２が回転されると、そのままポート部材１２を挿入しようとしても第２キー２２とパネル１３とが干渉するので、第２キー２２とキー溝１３２との位置が合致するように、ポート部材１２を元の位置まで戻す必要がある。
【００３０】
本実施形態では、上記の間隙Ｓの寸法ｘとパネル１３の厚みｘ０との関係より、第１キー２１がキー溝１３２から脱しても、図５（ａ）に示すように、第２キー２２がキー溝１３２の内側に位置しているのでポート部材１２の回転が規制される。
その後、ポート部材１２をさらに挿入すると、図５（ｂ）に示すように、第２キー２２がキー溝１３２から脱する。このとき、第１ラッチアーム１７の斜面１７Ａの部分がキー溝１３２の内側に位置している。この第１ラッチアーム１７の部分とパネル１３との係合により、引き続き、ポート部材１２の回転が規制される。
【００３１】
図５（ｂ）に示す位置からポート部材１２を後方に押し込むと、第１ラッチアーム１７は斜面１７Ａによりパネル１３から押されるので外筒１４の内側に向けて弾性変形しながら、キー溝１３２の内側を通り抜ける。
第１ラッチアーム１７の上記挙動と併行して、第２ラッチアーム１８も、斜面１８Ａによりパネル１３から押されるので外筒１４の内側に向けて弾性変形しながらパネル１３の開口１３０の内側を通り抜ける。
そして、図６に示すように、第１ラッチアーム１７および第２ラッチアーム１８の各々の自由端１７１，１８１と前方端部１５の段差部１５１との間にパネル１３が挟み込まれることで、ポート部材１２がパネル１３に係止される。
以上で、接続ポート装置１０の組み立てが完了する。
【００３２】
図６に示すように、パネル１３にポート部材１２が組み付けられた状態では、キー溝１３２の内側に第１ラッチアーム１７の自由端１７１と前方端部１５の段差部１５１とが位置している。これら自由端１７１および段差部１５１とパネル１３との係合により、ポート部材１２が組み付けられた後も、パネル１３に対するポート部材１２の回転が規制される。
【００３３】
本実施形態によれば、パネル１３にポート部材１２を組み付ける際に、パネル１３に対するポート部材１２の回転が間断なく規制される。このため、組み付けの途中で回転したポート部材１２を元の位置に戻す作業が発生することなく、接続ポート装置１０をスムーズに組み立てることができる。
【００３４】
また、本実施形態は、回転規制に加え、ポート部材１２をパネル１３の開口１３０に挿入する際の挿入力の観点からも、組み立ての作業性を満足する。
以下、図７〜図８に示す比較例について検討する。各比較例では第２キー２２は形成されていない。
【００３５】
図７（ａ）に示す例では、第１ラッチアーム１７の支持端１７２を超える位置まで第１キー２１が前方に延長して形成されている。つまり、支持端１７２を超えた第１キー２１の前端部２１１は、第１ラッチアーム１７の一部を構成している。
そのため、第１ラッチアーム１７の支持端１７２の厚みｔ２が、外筒１４の外周面（破線で示す）からの第１キー２１の高さの分だけ増大している。本実施形態（図３）における第１ラッチアーム１７の支持端１７２の厚みｔ１は、外筒１４の壁の厚みと同等である。この厚みｔ１よりも、図７（ａ）における厚みｔ２は大きい。
【００３６】
支持端１７２が厚いと、第１ラッチアーム１７の剛性が高くなるので、図７（ａ）に示す例では、ポート部材１２をパネル１３に対して押し込んで第１ラッチアーム１７を弾性変形させるために必要な挿入力が本実施形態と比べて大きくなってしまう。適切な挿入力よりも大きい挿入力が要求されると、組み立ての作業性に劣る。
【００３７】
図７（ｂ）に示す例も、図７（ａ）に示す例と同様に、支持端１７２を超える位置まで第１キー２１が前方に延長して形成されている。そのため、第１キー２１の分だけ、支持端１７２が厚い。そのため、本実施形態（図３）と比べて大きい挿入力が要求される。
【００３８】
次に、図８（ａ）に示す例は、図５（ａ）の円の中に示した例と類似する。図８（ａ）では、本実施形態と同様に、第１キー２１が形成される範囲を支持端１７２よりも後方に留めているので、第１ラッチアーム１７の支持端１７２の厚みはｔ１であり、適切な挿入力により組み立てできる。
しかし、支持端１７２と第１ラッチアーム１７の斜面１７Ａとの間に、一定の厚みｔ１で、外筒１４の軸線に平行に形成された区間１７４が存在する。区間１７４はパネル１３の厚みｘ０（図３）以上の寸法ｘ２（軸線方向の寸法）に亘り存在している。この区間１７４に亘り、キー溝１３２の内側に入り込む突出部が何ら形成されていない。つまり、区間１７４に亘り、第１ラッチアーム１７はパネル１３と係合しない。
そのため、第１キー２１がキー溝１３２から脱し、キー溝１３２に区間１７４が対向している間に、ポート部材１２がパネル１３に対して回転しうる。
【００３９】
図８（ｂ）に示す例は、第１キー２１が支持端１７２を前方に超えているので支持端１７２が厚く、しかも、第１キー２１と斜面１７Ａとの間の区間１７４がパネル１３の厚みｘ０と同等の寸法に亘り存在している。
この例では、大きい挿入力が要求されるばかりか、ポート部材１２の回転も許容されてしまう。
【００４０】
以上の検討より、第１ラッチアーム１７の支持端１７２には、キー溝１３２の内側に向けて突出する部分が存在しておらずキーイングが不備な区間１７４をパネル１３の厚みｘ０よりも小さい寸法ｘで設定するとよいことがわかる。当該区間１７４を支持端１７２の位置に設定することで適切な挿入力に維持しながら、キーイングが不備な区間１７４の寸法ｘをパネル１３の厚みｘ０未満に抑えることで、パネル１３の開口１３０にポート部材１２を挿入する当初から挿入完了までに亘り、ポート部材１２の回転を間断なく規制する。
【００４１】
本実施形態（図３参照）において、第１キー２１と第２キー２２との間に寸法ｘで形成された間隙Ｓは、キーイングが不備な区間１７４に相当する。この間隙Ｓが支持端１７２から前方に位置していると、第１ラッチアーム１７の支持端１７２の厚みは、キーが形成されていない外筒１４の壁の厚みｔ１と同等である。
そして、上述したように、間隙Ｓよりも後方では第１キー２１がキー溝１３２を通過し、間隙Ｓよりも前方では、第２キー２２、次いで第１ラッチアーム１７がキー溝１３２を通過することで、挿入過程に亘りポート部材１２の回転が間断なく規制される。
したがって、本実施形態の接続ポート装置１０は、途中でポート部材１２が回転することなく、適切な挿入力によりポート部材１２をパネル１３にスムーズに組み付けることができる。
【００４２】
上記実施形態に限らず、本発明には、図９（ａ）および（ｂ）に示す形態も含まれる。
図９（ａ）に示す形態では、第１ラッチアーム１７の支持端１７２から前方に、パネル１３の厚みｘ０よりも小さい寸法ｘだけ、外筒１４の軸線に平行なキーイング不備部１７５を設定している。そして、キーイング不備部１７５の前端１７５Ａから第１ラッチアーム１７の斜面１７Ａを形成している。この形態は、第２キー２２を備えていない。
図９（ａ）に示す形態でも、キーイング不備部１７５の存在により支持端１７２の厚みが外筒１４の厚みｔ１と同等である。必要な挿入力は上記実施形態と変わらない。
また、キーイング不備部１７５の寸法ｘがパネル１３の厚みｘ０よりも小さいことにより、組み付ける過程に亘ってパネル１３に対するポート部材１２の回転が規制される。
【００４３】
本発明におけるキーイング不備部は、支持端１７２から前方および支持端１７２から後方のうち少なくとも前方に位置していればよい。図９（ｂ）に示すキーイング不備部１７６（間隙）は、支持端１７２の位置の前後に亘り、パネル１３の厚みｘ０よりも小さい寸法ｘに設定されている。この場合も、支持端１７２の厚みｔ１に応じた適切な挿入力が得られるとともに、キーイングが途切れることなく、ポート部材１２をパネル１３に組み付けることができる。
【００４４】
上記以外にも、本発明の主旨を逸脱しない限り、上記実施形態で挙げた構成を取捨選択したり、他の構成に適宜変更することが可能である。
【符号の説明】
【００４５】
１０      接続ポート装置
１１      コネクタ
１２      ポート部材
１３      パネル
１３Ａ    表面
１３Ｂ    裏面
１４      外筒
１４Ａ    スリット
１４Ｂ    点
１４Ｃ    スリット
１５      前方端部
１６      保持部
１７      第１ラッチアーム（ラッチアーム）
１７Ａ    斜面
１７Ｂ    斜面
１８      第２ラッチアーム
１８Ａ    斜面
１８Ｂ    斜面
２０      キー
２１      第１キー
２２      第２キー
２２Ａ    下端
１３０    開口
１３１    周縁部
１３２    キー溝B
１３２Ａ  端縁
１４１    前端
１４２    後端
１５１    段差部
１６０    空間
１７１    自由端
１７２    支持端
１７３    頂部
１７４    区間
１７５    キーイング不備部
１７５Ａ  前端
１７６    キーイング不備部
１８１    自由端
１８２    支持端
１８３    頂部
２１１    前端部
Ｐ        接続ポート
Ｓ        間隙
ｘ        寸法
ｘ０      パネルの厚み
ｘ２      寸法
【図１】
2016207376.tif 000003
【図２】
2016207376.tif 000004
【図３】
2016207376.tif 000005
【図４】
2016207376.tif 000006
【図５】
2016207376.tif 000007
【図６】
2016207376.tif 000008
【図７】
2016207376.tif 000009
【図８】
2016207376.tif 000010
【図９】
2016207376.tif 000011
【図１０】
2016207376.tif 000012
【手続補正書】
【提出日】平成28年8月2日(2016.8.2)
【手続補正１】
【補正対象書類名】図面
【補正対象項目名】図５
【補正方法】変更
【補正の内容】
【図５】
2016207376.tif 000013
【手続補正２】
【補正対象書類名】図面
【補正対象項目名】図７
【補正方法】変更
【補正の内容】
【図７】
2016207376.tif 000014
【手続補正３】
【補正対象書類名】図面
【補正対象項目名】図８
【補正方法】変更
【補正の内容】
【図８】
2016207376.tif 000015
【手続補正４】
【補正対象書類名】図面
【補正対象項目名】図９
【補正方法】変更
【補正の内容】
【図９】
2016207376.tif 000016